Podtech/llm-jp-corpus-v4-ja_patent huggingface dataset:
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
ＩＭＳ網においてネットワークを構成するノードであって、
前記ＩＭＳ網内のノードにおいて運用再開が発生した場合、運用再開が発生したノードから前記ＩＭＳ網内の他の隣接ノードに対して、運用再開が発生したことを示す再開通知信号を、ＳＩＰ信号により通知することを特徴とするノード。
【請求項２】
前記再開通知信号は、前記ＳＩＰ信号のヘッダに、再開発生と、運用再開が発生したノードのＩＰアドレスを設定した信号であることを特徴とする請求項１に記載のノード。
【請求項３】
前記ＳＩＰ信号のヘッダのオプション項目であるLoadヘッダに、再開発生と、運用再開が発生したノードのＩＰアドレスを設定することを特徴とする請求項２に記載のノード。
【請求項４】
前記再開通知信号を受け取った前記隣接ノードが、
前記運用再開が発生したノードに応答信号を返送後、運用再開ノードのＩＰアドレスをキーとして、再開ノードに関連する呼が自ノード内に存在するかチェックし、関連呼の有無のチェック完了後、呼受付開始信号を運用再開ノードに返送し、関連する呼があった場合に、呼受付開始信号の送信後に、呼の初期設定を実施することを特徴とする請求項１から請求項３の何れかに記載のノード。
【請求項５】
ＩＭＳ網においてネットワークを構成するノードの運用再開通知方法であって、
運用再開が発生した前記ノードから、前記ＩＭＳ網内の他の隣接ノードに対して、運用再開が発生したことを示す再開通知信号を、ＳＩＰ信号により通知することを特徴とするノードの運用再開通知方法。
【請求項６】
前記再開通知信号は、前記ＳＩＰ信号のヘッダに、再開発生と、運用再開が発生したノードのＩＰアドレスを設定した信号であることを特徴とする請求項５に記載のノードの運用再開通知方法。
【請求項７】
前記ＳＩＰ信号のヘッダのオプション項目であるLoadヘッダに、再開発生と、運用再開が発生したノードのＩＰアドレスを設定することを特徴とする請求項６に記載のノードの運用再開通知方法。
【請求項８】
前記再開通知信号を受け取った前記隣接ノードが、
前記運用再開が発生したノードに応答信号を返送後、運用再開ノードのＩＰアドレスをキーとして、再開ノードに関連する呼が自ノード内に存在するかチェックし、関連呼の有無のチェック完了後、呼受付開始信号を運用再開ノードに返送し、関連する呼があった場合に、呼受付開始信号の送信後に、呼の初期設定を実施することを特徴とする請求項５から請求項７の何れかに記載のノードの運用再開通知方法。
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
内視鏡の挿入部先端に配置される先端硬質部に取り付けられた、固体撮像素子と該固体撮像素子に光学像を結像させる光学部品を一体構成した撮像ユニットを備える内視鏡の撮像装置であって、
前記先端硬質部には、前記撮像ユニットの一部が嵌め込むように挿入されて固定される開口孔が、その軸線が先端硬質部の中心に沿うように穿設されており、
前記先端硬質部と前記撮像ユニットには、前記撮像ユニットを前記開口孔にその軸線方向に挿入することにより係合し、前記先端硬質部に対する前記撮像ユニットの開口孔軸線回りの回動を規制する係合手段が設けられ、
前記撮像ユニットは、その係合手段と前記先端硬質部の係合手段を係合させながら、前記開口孔に挿入されることを特徴とする内視鏡の撮像装置。
【請求項２】
請求項１記載の内視鏡の撮像装置であって、
前記係合手段が、前記開口孔軸線に沿って前記開口孔に形成された係合溝と、前記撮像ユニットの一部に突設され該係合溝に嵌通可能な係合凸部とからなることを特徴とする内視鏡の撮像装置。
【請求項３】
請求項１記載の内視鏡の撮像装置であって、
前記係合手段が、前記開口孔軸線に沿って前記先端硬質部に形成された係合孔と、前記撮像ユニットに突設され該係合孔に嵌通可能な係合軸とからなることを特徴とする内視鏡の撮像装置。
【請求項４】
請求項１〜請求項３のいずれか１項記載の内視鏡の撮像装置であって、
前記係合手段が、前記撮像ユニットの挿入で相互に当接して前記撮像ユニットの挿入長さを規定する一対の突き当て面を有することを特徴とする内視鏡の撮像装置。
【請求項５】
前記挿入部先端に設けられた請求項１〜請求項４のいずれか１項記載の内視鏡の撮像装置と、
前記撮像装置の撮像動作を指示する操作部と、
を備えた内視鏡。
【手続補正２】
【補正対象書類名】明細書
【補正対象項目名】０００７
【補正方法】変更
【補正の内容】
【０００７】
本発明に係る上記目的は、下記構成により達成される。
（１）  内視鏡の挿入部先端に配置される先端硬質部に取り付けられた、固体撮像素子と該固体撮像素子に光学像を結像させる光学部品を一体構成した撮像ユニットを備える内視鏡の撮像装置であって、
前記先端硬質部には、前記撮像ユニットの一部が嵌め込むように挿入されて固定される開口孔が、その軸線が先端硬質部の中心に沿うように穿設されており、
前記先端硬質部と前記撮像ユニットには、前記撮像ユニットを前記開口孔にその軸線方向に挿入することにより係合し、前記先端硬質部に対する前記撮像ユニットの開口孔軸線回りの回動を規制する係合手段が設けられ、
前記撮像ユニットは、その係合手段と前記先端硬質部の係合手段を係合させながら、前記開口孔に挿入されることを特徴とする内視鏡の撮像装置。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
遊技機から排出される遊技球を導入可能な導入口及び導入口から導入された遊技球を排出可能な排出口を有し、遊技球が通過可能とされた遊技球通路と、
遊技球通路内を通過する遊技球を感知する計数センサと、
計数センサによって感知された遊技球の数を計数し、その結果を出力可能である回路基板と、
外部機器と接続可能であり、回路基板から出力される計数結果を電気信号として伝送可能である伝送線と、を有する遊技球計数機と、
遊技球計数機を着脱自在に収納可能な空間を有し遊技機の正面側に配置された設置ベースと、備えることを特徴とする遊技球計数装置。
【請求項２】
導入口を開閉自在とされたシャッターと、
導入口のシャッターによる開閉状態を感知するシャッターセンサと、を備え、
回路基板は、シャッターセンサによって感知された開閉状態を出力可能であり、
伝送線は、回路基板から出力される開閉状態を電気信号として伝送可能である、請求項１記載の遊技球計数装置。
【請求項３】
設置ベースにおける遊技球計数機を着脱自在に収納可能な空間は、設置ベースの内側に遊技球計数機を挿入可能とする収納部と、設置ベースの遊技機側寄りの部分に遊技球計数機の一端側を嵌入可能な凹型空間と、から構成され、
遊技球計数機の一端側を設置ベースの凹型空間に嵌合されると共に、遊技球計数機は、収納部に挿入される、請求項１または請求項２に記載の遊技球計数装置。
【請求項４】
排出口及び伝送線は遊技球計数機の一端側に配置されており、
設置ベースの凹型空間には、設置ベースの外側に貫通し且つ排出口及び伝送線と対向する開口部が欠切形成されている、請求項３記載の遊技球計数装置。
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
該抽選手段による抽選結果に基づいて所定の変動時間が設定された変動表示パターンを決定する変動表示パターン決定手段と、
所定の開閉動作を行い、閉状態から開状態に変化することで前記遊技媒体が入賞可能となる開閉入賞装置と、
前記抽選手段の抽選結果が当りである場合には、前記開閉入賞装置の開閉動作を複数回行うことで、遊技者に利益を付与する利益付与手段と、
前記変動表示パターン決定手段により決定された変動表示パターンに基づく演出画像を表示する演出表示装置と、
複数種類の装飾図柄が配列された装飾図柄列を複数記憶する装飾図柄列記憶手段と、
前記抽選手段の抽選結果が当りである場合には、特定の装飾図柄の組合せに決定する一方、前記抽選手段の抽選結果が外れである場合には、前記特定の装飾図柄の組合せとはならない装飾図柄の組合せに決定する最終停止図柄決定手段と、
前記変動表示パターン決定手段により決定された変動表示パターンに基づいて、前記演出表示装置の表示領域に前記複数の装飾図柄列の変動を行い、前記複数の装飾図柄列にまたがる有効ライン上に前記最終停止図柄決定手段の決定結果に対応した装飾図柄の停止図柄で変動を順次停止させる装飾図柄列変動制御手段と、
前記利益が付与される期待度を示唆する期待度演出を複数種類記憶する期待度演出記憶手段と、
前記変動表示パターン決定手段により決定された変動表示パターンに基づいて、前記複数種類の期待度演出のうち前記変動表示パターンに対応付けられた期待度演出に決定する期待度演出決定手段と、
前記装飾図柄列変動制御手段による前記複数の装飾図柄列の変動に併せて、前記期待度演出決定手段により決定された期待度演出の表示を行い、当該期待度演出において前記特定の装飾図柄の組合せの一部を構成するリーチ状態が前記有効ライン上に停止された後、経時的な演出展開に伴って期待度が高くなるように特定の演出部へと進行させる期待度演出表示制御手段と、を備え、
前記期待度演出決定手段は、
前記複数の装飾図柄列が複数回にわたって変動するかのように前記複数の装飾図柄列を変動させる変動演出を実行し、前記有効ライン上に前記リーチ状態が仮停止されないことを条件に当該変動演出の実行を継続させる連続変動演出を実行するか否かを決定する連続変動演出決定手段と、
該連続変動演出決定手段により前記連続変動演出を実行する旨が決定された場合に、前記期待度演出において前記複数の装飾図柄列の変動が開始された後から前記特定の演出部が実行されるまでの間の部分に前記連続変動演出が入れ込まれた態様からなる特別期待度演出に決定する特別期待度演出決定手段と、を有するものであり、
前記期待度演出表示制御手段は、
前記特別期待度演出決定手段により前記特別期待度演出を実行する旨が決定された場合に、前記連続変動演出にて前記有効ライン上に前記リーチ状態が停止されるのを契機として、前記特定の演出部へと進行する表示制御を行うことを特徴とする遊技機。
【請求項２】
前記連続変動演出決定手段は、前記連続変動演出を実行する旨が決定される際に、前記抽選手段の抽選結果が当りである場合に、前記抽選手段の抽選結果が外れである場合よりも高い割合で前記変動演出の実行を継続させることを特徴とする請求項１記載の遊技機。
【請求項３】
前記変動表示パターン決定手段は、前記抽選手段の抽選結果が当りである場合に、前記抽選手段の抽選結果が外れである場合よりも高い割合で変動時間が長く設定された変動表示パターンを決定するものであり、
前記連続変動演出決定手段は、前記連続変動演出を実行する旨が決定される際に、前記変動表示パターンに設定された変動時間が長いほど、前記変動演出の実行を継続させることを特徴とする請求項１または請求項２に記載の遊技機。
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
中央に開口を有する遊技盤の前面を区画するレール部材と、
該レール部材によって囲まれ、発射手段によって発射された遊技球が打ち込まれて転動する遊技領域と、
前記遊技盤の前記開口部の開口縁に沿って立設し、前記遊技領域をさらに区画する枠状装飾部材と、
該枠状装飾部材の内側領域への遊技球の侵入を可能にする受入口と、
該受入口から前記枠状装飾部材の内側領域へ侵入した遊技球を転動可能とし、前記枠状装飾部材の下縁部後方に設けられた棚部材と、を備えた遊技機において、
前記棚部材の下方に所定の態様で演出手段を配置可能な演出空間を形成するとともに、当該棚部材を透明部材によって形成することにより前記演出空間を遊技者に視認可能に形成することを特徴とする遊技機。
【請求項２】
前記枠状装飾部材は、前記遊技盤と同等の厚み寸法で形成されることを特徴とする請求項１記載の遊技機。
【請求項３】
前記枠状装飾部材外側の前記遊技領域に設けられる複数種類の入賞口と、
該複数種類の入賞口のうち前記枠状装飾部材の下縁部下方の前記遊技領域に設けられる始動口に遊技球が入賞したことに基づいて遊技者に所定の利益を付与する利益付与状態に制御するか否かを判定する利益付与判定手段と、
該利益付与判定手段による判定がなされたことに基づいて、前記遊技盤の前記開口から視認可能に設けられた表示手段を表示制御して複数種類の図柄情報を変動表示し、前記利益付与判定手段によって前記利益付与状態に制御すると判定されたときに特定表示結果を導出表示し、前記利益付与状態に制御しないと判定されたときに前記特定表示結果とは異なる非特定表示結果を導出表示する表示制御手段と、
前記利益付与判定手段によって前記利益付与状態に制御すると判定されたときに前記演出手段を駆動制御するか否かを判定する駆動判定手段と、
該駆動判定手段によって前記演出手段を駆動制御すると判定されたときに前記表示制御手段によって前記特定表示結果を導出表示する以前に前記演出手段を駆動制御する駆動制御手段と、をさらに備えることを特徴とする請求項１又は請求項２記載の遊技機。
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
該抽選手段による抽選結果に基づいて所定の変動時間が設定された変動表示パターンを決定する変動表示パターン決定手段と、
所定の開閉動作を行い、閉状態から開状態に変化することで前記遊技媒体が入賞可能となる開閉入賞装置と、
前記抽選手段の抽選結果が当りである場合には、前記開閉入賞装置の開閉動作を複数回行うことで、遊技者に利益を付与する利益付与手段と、
前記変動表示パターンにより決定された変動表示パターンに基づく演出画像を表示する演出表示装置と、
複数種類の装飾図柄が配列された装飾図柄列を複数記憶する装飾図柄列記憶手段と、
前記抽選手段の抽選結果が当りである場合には、特定の装飾図柄の組合せに決定する一方、前記抽選手段の抽選結果が外れである場合には、前記特定の装飾図柄の組合せとはならない装飾図柄の組合せに決定する最終停止図柄決定手段と、
前記変動表示パターン決定手段により決定された変動表示パターンに基づいて、前記演出表示装置の表示領域に前記複数の装飾図柄列の変動を行い、前記複数の装飾図柄列にまたがる有効ライン上に前記最終停止図柄で変動を順次停止させる装飾図柄列変動制御手段と、
前記利益が付与される期待度を示唆する期待度演出を複数種類記憶する期待度演出記憶手段と、
前記変動表示パターン決定手段により決定された変動表示パターンに基づいて、前記複数種類の期待度演出のうち前記変動表示パターンに対応付けられた期待度演出に決定する期待度演出決定手段と、
前記装飾図柄列変動制御手段による前記複数の装飾図柄列の変動に併せて、前記期待度演出決定手段により決定された期待度演出の表示を行い、当該期待度演出において前記特定の装飾図柄の組合せの一部を構成するリーチ状態が前記有効ライン上に停止された後、経時的な演出展開に伴い特定の演出部へと進行させ得る期待度演出表示制御手段と、を備え、
前記期待度演出決定手段は、
所定の達成条件を遊技者に提示した後、該達成条件を所定期間に達成するか否かの達成演出について実行するか否かを決定する達成演出決定手段と、
前記達成演出決定手段により前記達成演出を実行する旨が決定された場合、前記期待度演出における前記特定の演出部が実行される前の部分に前記達成演出が組み込まれた態様からなる特別期待度演出に決定する特別期待度演出手段と、を有し、
前記装飾図柄列変動制御手段は、
前記達成演出決定手段により前記達成演出を実行する旨が決定された場合、前記装飾図柄列の可変表示及び仮停止表示を繰り返して前記装飾図柄の変動が複数回行われているかのような連続変動演出を行うことで前記達成演出にかかる前記所定期間を創出するものであり、
前記期待度演出表示制御手段は、
前記達成演出にかかる前記達成条件が達成されるのを条件に、前記特定の演出部へと進行する表示制御を行うことを特徴とする遊技機。
【請求項２】
前記達成演出決定手段は、前記達成条件として提示された前記連続変動演出にかかる変動回数内に、前記有効ライン上に前記リーチ状態が停止されるか否かの達成演出について実行するか否かを決定するものであり、
前記期待度演出表示制御手段は、前記連続変動演出にかかる変動回数内に、前記有効ライン上に前記リーチ状態が停止されるのを契機として前記達成演出にかかる前記達成条件を達成し、前記特定の演出部へと進行する表示制御を行うことを特徴とする請求項１記載の遊技機。
【請求項３】
前記期待度演出表示制御手段は、前記達成条件として前記連続変動演出にかかる変動回数が提示された後、前記装飾図柄列の仮停止表示が行われるごとに前記連続変動演出にかかる残り回数が提示されることを特徴とする請求項１または請求項２に記載の遊技機。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
複数が隣り合って配列された状態で遊技機列を構成しうる遊技機であって、
遊技領域に向けて遊技球を発射可能な発射手段と、
前記発射手段により前記遊技領域に向けて発射された遊技球を受入可能な受入口と、
前記受入口への遊技球の受け入れを検出する受入検出手段と、
前記受入検出手段により遊技球の受け入れが検出されたことに基づいて、内部的な抽選処理を行う抽選手段と、
前記内部的な抽選処理の結果が当たりであることに基づき、遊技者に有利な特典遊技を実行する特典遊技実行手段と、
前記内部的な抽選処理の結果を認識しうる所定の画像が表示される画像表示手段と、
を備え、
前記遊技機列を構成する複数の遊技機のうちいずれか一の遊技機における内部的な抽選処理の結果が当たりであることに基づき、前記一の遊技機における内部的な抽選処理の結果が当たりであることを認識しうる画像が当該一の遊技機における画像表示手段に表示される前に、当該遊技機が前記一の遊技機であるか否かの籤演出が、前記遊技機列に配列される複数の遊技機を巡り行われるようにした
ことを特徴とする遊技機。
【請求項２】
前記内部的な抽選処理の結果が当たりである場合には、当該内部的な抽選処理の結果が当たりであることを認識可能な当たり情報を機外に放出しうる情報放出手段と、
機外からの情報を収拾する情報収拾手段と、
前記籤演出を行う籤演出実行手段と、
をさらに備えており、
前記籤演出実行手段は、
前記遊技機列を構成する他の遊技機から放出された当たり情報が前記情報収拾手段により収拾されたことに基づいて、前記内部的な抽選処理の結果が当たりであることを確信できない非確信態様で前記籤演出を行い、
前記内部的な抽選処理の結果が当たりであって且つ当該当たりに基づく当たり情報を前記情報放出手段により放出したことに基づいて、前記内部的な抽選処理の結果が当たりであることを確信できる確信態様で前記籤演出を行う
請求項１に記載の遊技機。
【請求項３】
前記遊技機列を構成する他の遊技機から放出された当たり情報を前記情報収拾手段により収拾し且つ当該当たり情報を収拾したことに基づく前記籤演出が行われる前に行われた前記内部的な抽選処理の結果が当たりである場合には、当該内部的な抽選処理の結果が当たりであるにも拘らず、当該当たりに基づく当たり情報が放出されることなく、さらに当該内部的な抽選処理の結果が当たりであることを確信できない前記非確信態様による前記籤演出が行われる
請求項２に記載の遊技機。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
複数配列された状態で遊技機列を構成するとともに、当該遊技機列の中で個々の独立した遊技動作を実行する遊技機であって、
遊技領域に向けて遊技球を発射可能な発射手段と、
前記発射手段により前記遊技領域に向けて発射された遊技球を受入可能な受入口と、
前記受入口への遊技球の受け入れを検出する受入検出手段と、
前記受入検出手段により遊技球の受け入れが検出されたことに基づいて、内部的な抽選処理を行う抽選手段と、
前記内部的な抽選処理の結果が当たりであることに基づき、遊技者に有利な特典遊技を実行する特典遊技実行手段と、
前記内部的な抽選処理の結果が当たりであることに基づき、当該内部的な抽選処理の結果が当たりであることを認識可能な当たり情報を機外に放出しうる情報放出手段と、
前記内部的な抽選処理の結果が当たりである場合に、前記当たり情報を放出する時期が都度異なるように、前記当たり情報の放出時期を決定しうる当たり情報放出時期決定手段と、
機外からの情報を収拾する情報収拾手段と、
前記遊技機列を構成する複数の遊技機のうちいずれかの遊技機における内部的な抽選処理の結果が当たりであることに基づき、当該内部的な抽選処理の結果が当たりである当選機を特定しうる籤演出を、複数の遊技機間にて順を追って行いうる順追籤演出実行手段と、
を備えており、
前記内部的な抽選処理の結果が当たりであって且つ前記情報放出手段により前記当たり情報が放出される場合には、前記当たり情報放出時期決定手段により決定された放出時期のタイミングで当該当たり情報が機外に放出され、
前記他の遊技機から放出された当たり情報を前記情報収拾手段により収拾し且つ前記籤演出が行われる場合には、特定条件が成立したことに基づき、当該当たり情報を収拾したタイミングで前記籤演出が当該遊技機にて開始される
ことによって前記遊技機列にて前記籤演出が開始される時期を、都度異なるようにした
ことを特徴とする遊技機。
【請求項２】
前記当たり情報には、放出源としての前記情報放出手段からの距離に応じて可変することによって、当該当たり情報を収拾した遊技機毎に異なる可変情報が含まれており、
前記順追籤演出実行手段は、
前記他の遊技機から放出された当たり情報が前記情報収拾手段により収拾され且つ前記特定条件としての当該収拾された当たり情報に含まれる前記可変情報が特定の情報であることに基づき、当該当たり情報を収拾したタイミングで前記籤演出を開始する
請求項１に記載の遊技機。
【請求項３】
前記順追籤演出実行手段は、
前記遊技機列を構成する他の遊技機から放出された当たり情報を前記情報収拾手段により収拾し且つ当該当たり情報を収拾したことに基づいて前記籤演出を行う場合には、当該収拾した当たり情報に含まれる前記可変情報に基づくタイミングで、当該遊技機における前記内部的な抽選処理の結果が当たりであることを確信できない非確信態様で前記籤演出を行い、
前記内部的な抽選処理の結果が当たりであって且つ当該当たりに基づく当たり情報を放出し且つ当該放出された当たり情報を収拾したことに基づいて前記籤演出が行われるいずれの遊技機よりも遅いタイミングで、当該遊技機における前記内部的な抽選処理の結果が当たりであると確信できる確信態様で前記籤演出を行う
請求項１または２に記載の遊技機。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
複数配列された状態で遊技機列を構成するとともに、当該遊技機列の中で個々の独立した遊技動作を実行する遊技機であって、
遊技領域に向けて遊技球を発射可能な発射手段と、
前記発射手段により前記遊技領域に向けて発射された遊技球を受入可能な受入口と、
前記受入口への遊技球の受け入れを検出する受入検出手段と、
前記受入検出手段により遊技球の受け入れが検出されたことに基づいて、内部的な抽選処理を行う抽選手段と、
前記内部的な抽選処理の結果が当たりであることに基づき、遊技者に有利な特典遊技を実行する特典遊技実行手段と、
前記内部的な抽選処理の結果が当たりである場合には、当たりであることを認識可能な当たり情報を機外に放出しうる情報放出手段と、
機外からの情報を収拾する情報収拾手段と、
前記遊技機列を構成する複数の遊技機のうちいずれかの遊技機における内部的な抽選処理の結果が当たりであることに基づき、当該内部的な抽選処理の結果が当たりである当選機を確定しうる特別な演出を行いうる当選機特定演出制御手段と、
を備えると共に、
前記当たり情報には、放出源としての前記情報放出手段からの距離に応じて可変することによって、当該当たり情報を収拾した遊技機毎に異なる可変情報が含まれており、
前記当選機特定演出制御手段は、
前記遊技機列を構成する他の遊技機から放出された当たり情報を前記情報収拾手段により収拾したことに基づき、当該遊技機における前記内部的な抽選処理の結果が当たりであることを確信できない非確信態様で前記特別な演出を行う非確信演出制御手段と、
前記内部的な抽選処理の結果が当たりであって且つ当該当たりに基づく当たり情報を前記情報放出手段により放出したことに基づき、当該遊技機における前記内部的な抽選処理の結果が当たりであると確信できる確信態様で前記特別な演出を行う確信演出制御手段と、を有しており、
前記非確信演出制御手段は、
前記情報収拾手段により収拾された当たり情報に含まれる前記可変情報に基づくタイミングで前記特別な演出を行い、
前記確信演出制御手段は、
前記情報放出手段から放出された前記当たり情報を収拾したいずれの遊技機よりも遅いタイミングで前記特別な演出を行う
ことによって、前記遊技機列に配列される他の遊技機にて行われる特別な演出の態様を認知可能とした
ことを特徴とする遊技機。
【請求項２】
前記内部的な抽選処理の結果が当たりであることに基づき、前記特別な演出の開始時期が都度異なるように、前記特別な演出の開始時期を決定しうる演出開始時期決定手段、をさらに備えており、
前記内部的な抽選処理の結果が当たりであって且つ当該当たりに基づく当たり情報を放出する場合には、前記遊技機列を構成する複数の遊技機のうちいずれかの遊技機にて前記演出開始時期決定手段により決定された開始時期に前記特別な演出が開始されるように、前記演出開始時期決定手段により決定された開始時期のタイミングで当たり情報が機外に放出され、
前記他の遊技機から放出された当たり情報を前記情報収拾手段により収拾し且つ当該収拾した当たり情報に含まれる前記可変情報が特定の情報である場合には、当該当たり情報を収拾したタイミングで前記特別な演出が当該遊技機にて開始される
ことによって前記特別な演出が開始される時期を、都度異なるようにした
請求項１に記載の遊技機。
【請求項３】
前記遊技機列を構成する他の遊技機から放出された当たり情報を前記情報収拾手段により収拾し且つ当該当たり情報を収拾したことに基づく前記特別な演出が行われる前に行われた前記内部的な抽選処理の結果が当たりである場合には、当該内部的な抽選処理の結果が当たりであるにも拘らず、当該当たりに基づく当たり情報が放出されることなく、さらに当該内部的な抽選処理の結果が当たりであることを確信できない前記非確信態様による前記特別な演出が行われる
請求項２に記載の遊技機。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
各遊技台に隣設された台間ユニットに、
遊技台の下皿から排出された遊技玉を受ける玉受け皿を、通路ユニットを介して設け、
下皿から排出された遊技玉を計数し、台間ユニットを経由して遊技島内で回収する遊技台の計数ユニットにおいて、
前記通路ユニットには、
前記玉受け皿で受けた遊技玉から非対象玉と対象玉とに選別する選別部と、
該選別部で振分けられた非対象玉を計数センサにて計数する計数部と、が設けられ、
前記選別部は、
前記玉受け皿に下り勾配を有して設けられた傾斜通路の下端近傍に、
回転駆動によって遊技玉を１個毎に移送する送り部と、
前記送り部近傍に設けた、該送り部で１個毎に移送される遊技玉を非対象玉と対象玉とに識別する識別センサと、
前記送り部の下流側に設けた、
前記識別センサの識別結果によって遊技玉を振分ける通路切替部と、を備え、
前記選別部によって振分けられた非対象玉は、
前記計数部で計数された後、遊技島内に回収され、
前記選別部によって振分けられた対象玉は、
前記玉受け皿の内部に設けられた対象玉収納部に貯留されることを特徴とする遊技台の計数ユニット。
【請求項２】
各遊技台に隣設された台間ユニットに、
遊技台の下皿から排出された遊技玉を受ける玉受け皿を設け、
下皿から排出された遊技玉を計数し、台間ユニットを経由して遊技島内で回収する遊技台の計数ユニットにおいて、
前記台間ユニットには、
前記玉受け皿で受けた遊技玉から非対象玉と対象玉とに選別する選別部と、
該選別部で振分けられた非対象玉を計数センサにて計数する計数部と、が設けられ、
前記選別部は、
前記台間ユニットに下り勾配を有して設けられた傾斜通路の下端近傍に、
回転駆動によって遊技玉を１個毎に移送する送り部と、
前記送り部近傍に設けた、該送り部で１個毎に移送される遊技玉を非対象玉と対象玉とに識別する識別センサと、
前記送り部の下流側に設けた、
前記識別センサの識別結果によって遊技玉を振分ける通路切替部と、を備え、
前記選別部によって振分けられた非対象玉は、
前記計数部で計数された後、遊技島内に回収され、
前記選別部によって振分けられた対象玉は、
前記台間ユニットの後方に設けた対象玉回収樋で回収して遊技島端若しくは遊技島内に設けた回収部へ移送し貯留されることを特徴とする遊技島の計数ユニット。
【手続補正２】
【補正対象書類名】明細書
【補正対象項目名】０００７
【補正方法】変更
【補正の内容】
【０００７】
上記問題を解決するために、本発明の請求項１は、各遊技台に隣設された台間ユニットに、遊技台の下皿から排出された遊技玉を受ける玉受け皿を、通路ユニットを介して設け、下皿から排出された遊技玉を計数し、台間ユニットを経由して遊技島内で回収する遊技台の計数ユニットにおいて、通路ユニットには、玉受け皿で受けた遊技玉から非対象玉と対象玉とに選別する選別部と、選別部で振分けられた非対象玉を計数センサにて計数する計数部と、が設けられ、選別部は、玉受け皿に下り勾配を有して設けられた傾斜通路の下端近傍に、回転駆動によって遊技玉を１個毎に移送する送り部と、送り部近傍に設けた、送り部で１個毎に移送される遊技玉を非対象玉と対象玉とに識別する識別センサと、送り部の下流側に設けた、識別センサの識別結果によって遊技玉を振分ける通路切替部と、を備え、選別部によって振分けられた非対象玉は、計数部で計数された後、遊技島内に回収され、選別部によって振分けられた対象玉は、玉受け皿の内部に設けられた対象玉収納部に貯留されることを特徴とする。
【手続補正３】
【補正対象書類名】明細書
【補正対象項目名】０００８
【補正方法】変更
【補正の内容】
【０００８】
また、本発明の請求項２は、各遊技台に隣設された台間ユニットに、遊技台の下皿から排出された遊技玉を受ける玉受け皿を設け、下皿から排出された遊技玉を計数し、台間ユニットを経由して遊技島内で回収する遊技台の計数ユニットにおいて、台間ユニットには、玉受け皿で受けた遊技玉から非対象玉と対象玉とに選別する選別部と、選別部で振分けられた非対象玉を計数センサにて計数する計数部と、が設けられ、選別部は、台間ユニットに下り勾配を有して設けられた傾斜通路の下端近傍に、回転駆動によって遊技玉を１個毎に移送する送り部と、送り部近傍に設けた、送り部で１個毎に移送される遊技玉を非対象玉と対象玉とに識別する識別センサと、送り部の下流側に設けた、識別センサの識別結果によって遊技玉を振分ける通路切替部と、を備え、選別部によって振分けられた非対象玉は、計数部で計数された後、遊技島内に回収され、選別部によって振分けられた対象玉は、台間ユニットの後方に設けた対象玉回収樋で回収して遊技島端若しくは遊技島内に設けた回収部へ移送し貯留されることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１６
【補正方法】変更
【補正の内容】
【００１６】
本発明は、図１に示すように、各遊技台１に隣設された遊技玉貸出機、遊技玉計数払出機、カードユニット等からなる台間ユニット３に、遊技台１の下皿９から排出された遊技玉を受ける玉受け皿５を、通路ユニット４を介して設け、下皿９から排出された遊技玉を計数し、台間ユニット３を経由して遊技島内で回収する遊技台１の計数ユニット２において、図４(ａ)、(ｂ)に示すように、玉受け皿５で受けた遊技玉から非対象玉ＰＢと対象玉ＵＢとに選別する選別部７と、該選別部７で振分けられた非対象玉ＰＢを計数する計数部８とを備えてなるものである。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
本体と、
前記本体を傾斜可能に保持する台座と、
前記本体側に設けられ前記本体を前記台座に対して複数の所定角度に傾斜して固定可能とするフックと、
前記台座側に設けられ複数の歯を有し前記フックと係合して前記本体を前記台座に対して複数の所定角度に傾斜して固定させる歯列と、
前記フックを前記歯列の方向に押圧付勢する第一の付勢部材と、
前記フックと前記歯列の係合状態を制御する第二の付勢部材と、
前記第二の付勢部材を操作する操作手段と、
前記フックが前記第二の付勢部材から前記係合状態の制御を受ける付勢係合部とを具備し、
前記本体の傾斜角度を固定する場合は、前記第二の付勢部材が前記付勢係合部を介して、前記第一の付勢部材の押圧付勢に付加して前記第二の付勢部材が前記フックを前記歯列の方向に押圧付勢し、前記本体の傾斜角度を可変にする場合は、前記操作手段により前記第二の付勢部材が前記付勢係合部を介して、前記第一の付勢部材の押圧付勢を打ち消すように前記第二の付勢部材が前記フックを付勢して、前記本体の傾斜を制御することを特徴とする端末装置。
【請求項２】
前記本体が前記台座に対して最小傾斜角度に戻る位置が初期位置である場合は、前記付勢係合部が前記第二の付勢部材から離れて前記係合状態の制御を受けない位置であることを特徴とする請求項１記載の端末装置。
【請求項３】
前記本体が前記台座に対してほぼ水平に戻る位置が初期位置である場合は、前記付勢係合部が前記第二の付勢部材から離れて前記係合状態の制御を受けない位置であることを特徴とする請求項１記載の端末装置。
【請求項４】
前記操作手段は第一操作位置と第二操作位置とを有し、
前記第一操作位置に操作した場合は、前記第二の付勢部材の押圧付勢を打ち消すことにより、前記第一の付勢部材のみが前記フックを前記歯列の方向に押圧付勢し、前記本体を前記台座に対して傾斜して固定可能とし、前記第二操作位置に操作した場合は、前記第二の付勢部材が前記第一の付勢部材の押圧付勢を打ち消して前記フックを前記歯列から離隔させ、前記本体の固定を解除し、前記操作手段を操作しない場合は、前記第一の付勢部材の押圧付勢に付加して前記第二の付勢部材が前記フックを前記歯列の方向に押圧付勢し、前記本体の傾斜を固定することを特徴とする請求項１記載の端末装置。
【請求項５】
前記操作手段は前記本体のみに設けられたことを特徴とする請求項１記載の端末装置。
【請求項６】
前記操作手段は押し込み可能であることを特徴とする請求項５記載の端末装置。
【請求項７】
前記本体は、操作パネル部を備えた前面と、前記前面の裏側である背面とを有し、
前記操作手段は前記本体の背面のみに設けられたことを特徴とする請求項５または６記載の端末装置。
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
被写体を撮像し、撮像時のカメラ設定パラメータと共に映像を出力するカメラ部と、
事前に作成された撮影シーン毎の撮影条件を含むシナリオデータを保持するシナリオデータ保持手段と、
前記カメラ設定パラメータに基づいて撮影時の撮影条件を求め、前記シナリオデータ中の前記撮影シーン毎の撮影条件と比較することにより、前記撮影シーンを前記映像と関連付けるシーン特定手段と、
前記シーン特定手段が関連付けた前記撮影シーンと前記映像との関連付けの情報を記録媒体に記録する記録部とを備えた撮像装置。
【請求項２】
前記カメラ部は、撮影時における前記カメラ部の角度及び角速度を検出して前記カメラ設定パラメータに含めて出力し、
前記撮影シーン毎の撮影条件は、撮影角度および前記撮影角度の変化を示す情報のうち少なくとも１つを含み、
前記シーン特定手段は、前記角度および前記角速度に基づいて前記撮影時の撮影条件として前記撮影角度および前記撮影角度の変化を示す情報のうち少なくとも前記撮影シーン毎の撮影条件に含まれる１つを求める請求項１記載の撮像装置。
【請求項３】
前記カメラ部は、撮影時における前記カメラ部の撮影位置を検出して前記カメラ設定パラメータに含めて出力し、
前記撮影シーン毎の撮影条件および前記撮影時の撮影条件は、前記撮影位置を含む請求項１または２に記載の撮像装置。
【請求項４】
前記シーン特定手段は、前記撮影シーンと前記映像との関連付けを判断する際に、前記撮影シーン毎の撮影条件に対応する前記撮影時の撮影条件が複数存在する場合、対応するすべての前記映像と関連付ける第１の関連付け方法と、撮影順に前記撮影シーンと前記映像とを比較し、最初に撮影条件が一致するものを関連付ける処理を繰り返す第２の関連付け方法とを切り替えて実行する請求項１記載の撮像装置。
【請求項５】
マークを付与するマーク付与手段を備え、
前記マーク付与手段は、前記第１の関連付け方法の場合には、各撮影シーンに関連付けられた前記映像のうち最新の映像に前記マークを付与し、前記第２の関連付け方法の場合には、各撮影シーンに関連付けられた前記映像に前記マークを付与する請求項４記載の映像記録装置。
【請求項６】
前記カメラ部から出力された前記カメラ設定パラメータに基づいて求めた撮影時の撮影条件を撮影シーン毎の撮影条件として含むシナリオデータを作成する第１のシナリオデータ作成手段を備えた請求項１から５の何れかに記載の撮像装置。
【請求項７】
前記記録部は、前記映像に前記カメラ設定パラメータを含めて前記記録媒体に記録し、
前記記録媒体から前記カメラ設定パラメータを含んだ前記映像を読み出し、前記映像に含まれた前記カメラ設定パラメータに基づいて求めた撮影時の撮影条件を撮影シーン毎の撮影条件として含むシナリオデータを作成する第２のシナリオデータ作成手段を備えた請求項１から５の何れかに記載の撮像装置。
【請求項８】
撮影モードをテスト撮影モードと本番撮影モードとに切り替える撮影モード切替手段と、
前記撮影モードがテスト撮影モードであるときに、前記カメラ部が撮像して出力した前記カメラ設定パラメータに基づいて求めた撮影時の撮影条件を撮影シーン毎の撮影条件として含むシナリオデータを作成する第３のシナリオデータ作成手段と、を備え、前記シナリオデータ保持手段は、前記第３のシナリオデータ作成手段が作成した前記シナリオデータを保持し、シーン特定手段は、前記撮影モードが本番撮影モードであるときに、前記カメラ部が撮像して出力した前記カメラ設定パラメータに基づいて前記撮影時の撮影条件を求め、前記シナリオ保持手段が保持している前記シナリオデータ中の前記撮影シーン毎の撮影条件と比較することにより、前記撮影シーンを前記映像と関連付ける請求項１から５の何れかに記載の撮像装置。
【請求項９】
前記シーン特定手段が関連付けを行わなかった前記撮影シーンについて、未撮影シーンを表す表示を行う表示部を備えた請求項１から８の何れかに記載の撮像装置。
【手続補正２】
【補正対象書類名】明細書
【補正対象項目名】０００７
【補正方法】変更
【補正の内容】
【０００７】
上述した課題を解決するために本発明の撮像装置は、被写体を撮像し、撮像時のカメラ設定パラメータと共に映像を出力するカメラ部と、事前に作成された撮影シーン毎の撮影条件を含むシナリオデータを保持するシナリオデータ保持手段と、カメラ設定パラメータに基づいて撮影時の撮影条件を求め、シナリオデータ中の撮影シーン毎の撮影条件と比較することにより、撮影シーンを映像と関連付けるシーン特定手段と、シーン特定手段が関連付けた撮影シーンと映像との関連付けの情報を記録媒体に記録する記録部とを備える。
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
（ａ）振動腕を有し、前記振動腕の表裏面の少なくとも一方の面に金属膜及び励振電極膜が形成された圧電振動片を用意する工程と、
（ｂ）前記金属膜にて覆われた前記振動腕の面の一部を露出させるように前記金属膜の一部を、レーザービームを用いて除去する工程と、
（ｃ）前記（ｂ）工程後に、前記圧電振動片をパッケージに取り付ける工程と、
（ｄ）前記（ｃ）工程後に、前記金属膜を、イオンビームによってエッチングする工程と、
（ｅ）前記（ｄ）工程後に、前記パッケージの内部空間を気密に封止する工程と、
を含む圧電振動子の製造方法。
【請求項２】
請求項１に記載された圧電振動子の製造方法において、
前記（ａ）工程で、複数の前記圧電振動片を、相互に連結された状態で用意し、
前記（ｂ）工程を、相互に連結された複数の前記圧電振動片に対して行い、
前記（ｂ）工程後、前記（ｃ）工程前に、複数の前記圧電振動片を個片に切断する工程をさらに含み、
前記（ｃ）工程で、個片の前記圧電振動片を前記パッケージに取り付ける圧電振動子の製造方法。
【請求項３】
請求項１又は２に記載された圧電振動子の製造方法において、
前記（ｂ）工程で、前記レーザービームで前記金属膜の材料を蒸発させて前記金属膜の一部を除去し、蒸発した前記材料を残された前記金属膜に再付着させて凸部を形成する圧電振動子の製造方法。
【請求項４】
請求項１から３のいずれか１項に記載された圧電振動子の製造方法において、
前記（ｄ）工程で、前記イオンビームを、マスクを介して、前記金属膜に照射する圧電振動子の製造方法。
【請求項５】
請求項１から３のいずれか１項に記載された圧電振動子の製造方法において、
前記パッケージは、開口及び貫通穴を有し、
前記（ｃ）工程で、前記開口から前記圧電振動片を前記パッケージに取り付け、前記開口に蓋を取り付け、
前記（ｄ）工程で、前記イオンビームを、前記貫通穴を介して、前記金属膜に照射し、
前記（ｅ）工程で、前記貫通穴を塞ぐ圧電振動子の製造方法。
【請求項６】
請求項１から３のいずれか１項に記載された圧電振動子の製造方法において、
前記パッケージは、開口を有し、
前記（ｃ）工程で、前記開口から前記圧電振動片を前記パッケージに取り付け、前記開口に蓋を取り付け、
前記蓋は、貫通穴を有し、
前記（ｄ）工程で、前記イオンビームを、前記貫通穴を介して、前記金属膜に照射し、
前記（ｅ）工程で、前記貫通穴を塞ぐ圧電振動子の製造方法。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
固定子鉄心と、前記固定子鉄心に取付けた固定子巻線とを備えた固定子と、
前記固定子の内部に空隙を介して配置され、永久磁石と界磁巻線とを備えた円筒形回転子と、を有する回転界磁形同期機において、
前記回転子の永久磁石が、前記巻回された界磁巻線の内側の部分の回転子鉄心に装着されていることを特徴とする回転界磁形同期機。
【請求項２】
前記永久磁石は、巻回された界磁巻線の内側の部分の回転子鉄心において、
半径方向に対して斜めに装着されていることを特徴とする、請求項１記載の回転界磁形同期機。
【請求項３】
前記回転子鉄心は、永久磁石が装着された内回転子鉄心と、内回転子鉄心の磁極に巻回された界磁巻線の外周側に、内回転子鉄心と同軸に嵌合する外回転子鉄心とで構成されていることを特徴とする、請求項１または請求項２記載の回転界磁形同期機。
【請求項４】
前記回転子鉄心を構成する鋼板は、積層する各々の積層面に、非導電性の皮膜または表面処理による非導電性の化合層を有することを特徴とする、請求項１から請求項３のいずれかの項に記載の回転界磁形同期機。
【請求項５】
前記外回転子鉄心は、内回転子鉄心より軸方向の積厚が大きいことを特徴とする、請求項１から請求項４のいずれかの項に記載の回転界磁形同期機。
【請求項６】
前記回転子は、回転子鉄心、界磁巻線、永久磁石、回転子シャフトを含む部品を、樹脂で一体に構成されていること特徴とする、請求項１から請求項５のいずれかの項に記載の回転界磁形同期機。
徴とする同期電動機の製造方法。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
電界中に任意の向きで、少なくとも平行な二面または円筒面とこれらの面と垂直な面をこれらの面の片側に有する非対称形状の導体を置き、該垂直面の外面と内面に作用する静電力の差により該非対称形状導体を移動させる静電応用機器。
【請求項２】
電源につながる電極またはエレクトレットとその対抗電極を平行に固定して固定子とし、その間に、少なくとも平行な二面または円筒面と該面と垂直な面を該二面または円筒面の片側に有する非対称形状の導体からなる移動子を、その平行な二面または円筒面が該固定子の面と平行に、垂直な面が該固定子の面と垂直になるように置き、該垂直面の左右に作用する静電力の差によって、該移動子を該固定子の面と平行な方向に移動させる静電モータ。
【請求項３】
交互に異なる固定電圧が印加された電極を並べて、固定子とし、該固定子電極に接近して、少なくとも平行な二面または円筒面とこれらの面と垂直な面をこれらの面の片側に有する非対称形状の導体を移動子として配置した静電モータ。
【請求項４】
絶縁性基板の両面に、導電層のパターンを形成し、該導電層パターンを含んでスリットを設け、その上下導電層につながる基板の壁面をスルーホールメッキ等で導電層化する非対称形状電極の製法。
【手続補正書】
【提出日】平成23年9月28日(2011.9.28)
【手続補正１】
【補正対象書類名】明細書
【補正対象項目名】００５４
【補正方法】変更
【補正の内容】
【００５４】
以下に、エネルギ供給システム２０で余剰電力が発生した場合について具体例を挙げて説明する。
例えば、エネルギ供給システム２０に供給される電力の総和が５ｋＷ（太陽光発電装置２９からの供給電力が２ｋＷ、熱電併給装置２３からの供給電力が２ｋＷ、商用電力系統２２からの供給電力が１ｋＷ）であり、エネルギ供給システム２０の電力負荷装置３０における消費電力が３ｋＷのとき、余剰電力は２ｋＷである。よって、この余剰電力は施設側充放電部３１及び車両側充放電部１４の少なくとも何れか一方に充電される。例えば、車両１０がエネルギ供給システム２０に電気的に接続されていなければ、余剰電力は全て施設側充放電部３１に充電される。或いは、車両１０がエネルギ供給システム２０に電気的に接続されていれば、余剰電力は、例えば施設側充放電部３１と車両側充放電部１４とに対して１：１の割合で充電される。
ここで、余剰電力の２ｋＷのうちの１ｋＷを施設側充放電部３１に充電し、残りの１ｋＷを車両側充放電部１４に充電するとき、それら充電電力の電力供給元に関する内訳は、各電力供給元の供給電力の比（太陽光発電装置２９：熱電併給装置２３：商用電力系統２２＝２：２：１）で決定される。例えば、エネルギ供給システム２０の制御部２１は、車両１０の車両側充放電部１４への充電電力を、太陽光発電装置２９から０．４ｋＷ、熱電併給装置２３から０．４ｋＷ、商用電力系統２２から０．２ｋＷと決定し、この情報を車両１０の制御部１１へ、施設側通信部２６及び車両側通信部１６を介して提供する。車両１０の制御部１１（車両側充放電制御部１１ｂ）は、エネルギ供給システム２０の制御部２１から上記車両側充電情報の更新に関する情報を受けると、表１に例示したＳＯＣの値を電力供給元毎に更新する。
同様に、エネルギ供給システム２０の制御部２１は、施設側充放電部３１への充電電力を、太陽光発電装置２９から０．４ｋＷ、熱電併給装置２３から０．４ｋＷ、商用電力系統２２から０．２ｋＷと決定し、この情報を施設側記憶部２８に記憶されている施設側充電情報に反映させる。
尚、施設側充放電部３１と車両側充放電部１４との間での余剰電力の充電割合は上述した１：１の割合に限定されず、適宜変更可能である。
【手続補正２】
【補正対象書類名】図面
【補正対象項目名】図５
【補正方法】変更
【補正の内容】
【図５】
2009232670.tif 000001
【手続補正３】
【補正対象書類名】図面
【補正対象項目名】図１０
【補正方法】変更
【補正の内容】
【図１０】
2009232670.tif 000002
【手続補正書】
【提出日】平成23年2月7日(2011.2.7)
【手続補正１】
【補正対象書類名】明細書
【補正対象項目名】００１４
【補正方法】変更
【補正の内容】
【００１４】
本発明に係わる作業機のカプラ支持装置及び作業機によれば、上記特徴を有することによって、作業機側カプラから走行機体側カプラを着脱する作業を走行機体の運転席から容易に行えるので、作業機側カプラを走行機体側カプラに着脱する場合、作業者が走行機体から降車しカプラ着脱後再び走行機体に乗車して次の動作を行うという作業の煩わしさを解消するとともに作業時間の短縮を図ることができる。
【手続補正２】
【補正対象書類名】明細書
【補正対象項目名】００２４
【補正方法】変更
【補正の内容】
【００２４】
延長整地体３１は、延長機枠３５の後端部に前端部が枢結されて上下方向に回動可能な第１延長整地板３２と、第１延長整地板３２の後端部に前端部が枢結されて上下方向に回動可能な略板状の第２延長整地板３３とを有して構成されている。延長作業体３０は、作業機本体１０との間に設けられた電動式油圧シリンダ（図示せず）の伸縮によって展開姿勢と折り畳み姿勢との間を移動可能である。これらの延長作業体３０は、走行機体９０の運転席９２に設けられた操作スイッチの操作に応じて、走行機体９０側に設けられた制御装置９４による作業機本体１０側の前記電動式油圧シリンダの伸縮制御によって移動可能に構成されている。
【手続補正３】
【補正対象書類名】明細書
【補正対象項目名】００７２
【補正方法】変更
【補正の内容】
【００７２】
図１乃至図７に示した本発明の実施形態によれば、支持アーム６１は、前記耕耘作業機１の上方へ突出した状態で、且つ前記カプラ取付固定部７１の前記走行機体９０に対する位置調節が可能な状態で前記耕耘作業機１に着脱自在に固定され、ボルト６９を緩めることでトップマスト５に対する直線フレーム６２の角度調整が行え、ボルト６９のネジ部を挿通させる直線フレーム６２のネジ挿通孔の変更及びボルト６９のネジ部を螺入させるトップマスト５の右側面５１のネジ孔の変更により前記耕耘作業機１に対する前記支持アーム６１の取付位置を変更でき、さらにボルト６３とナット６４を緩めることで前記支持アーム６１に対する前記カプラ取付固定部７１の角度調整が行える。これにより、作業者が本人の体格に合わせて支持アーム６１及びカプラ取付固定部７１の角度調整や位置調整を行うことで、作業機側カプラ３８−１，３８−２から走行機体側カプラ９６−１，９６−２を着脱する作業を作業者が走行機体９０の運転席９２から容易に行え、作業機側カプラを走行機体側カプラに接続する場合の作業の煩わしさを解消するとともに作業時間の短縮を図ることができる。
【手続補正４】
【補正対象書類名】明細書
【補正対象項目名】００７５
【補正方法】変更
【補正の内容】
【００７５】
また、本実施形態では、本発明を電気配線に接続される作業機側カプラ３８−１，３８−２及び走行機体側カプラ９６−１，９６−２に適用したが、本発明を油圧配管に接続される作業機側カプラ及び走行機体側カプラに適用してもよい。